(57)【特許請求の範囲】
【請求項１】
棹の先端にカッタを設け、上記棹の基部側にエンジンとエンジンの作動を制御するレバー装置を設け、上記棹の中間部に操作ハンドルを設けた携帯型刈払い機において、
上記棹には上記操作ハンドルの取付ステー部を固定し、この取付ステー部の左右両側には防振材を介して操作ハンドルの左右両側の端部を配置し、防振材の一側を上記取付ステー部の収納凹部に収納するとともに、防振材の他側には開口溝を形成し、この開口溝に上記操作ハンドルの左右両側に形成された突起部を挿入し、上記取付ステー部と操作ハンドルとにより防振材を棹の直交方向で挟み込むように取り付け、上記取付ステー部の左右両側の防振材は上記操作ハンドルによって互いに平行な面で挟み込まれ、
上記操作ハンドルの突起部及び突起部が挿入される防振材の開口溝の断面を略Ｈ字形に形成したことを特徴とする携帯型刈払い機におけるハンドルの防振機構。
【請求項２】
棹の先端にカッタを設け、上記棹の基部側にエンジンとエンジンの作動を制御するレバー装置を設け、上記棹の中間部に操作ハンドルを設けた携帯型刈払い機において、
上記棹には上記操作ハンドルの取付ステー部を固定し、この取付ステー部の左右両側には防振材を介して操作ハンドルの左右両側の端部を配置し、防振材の一側を上記取付ステー部の収納凹部に収納するとともに、防振材の他側には開口溝を形成し、この開口溝に上記操作ハンドルの左右両側に形成された突起部を挿入し、上記取付ステー部と操作ハンドルとにより防振材を棹の直交方向で挟み込むように取り付け、上記取付ステー部の左右両側の防振材は上記操作ハンドルによって互いに平行な面で挟み込まれ、
上記取付ステー部をステー本体とその両側に配されるステーアウターとに分割可能とし、上記防振材の収納凹部をステーアウター側に設けるとともに、ステー本体とステーアウターの一方に歯車状の嵌合軸、他方に上記嵌合軸に嵌合する嵌合穴を形成し、ステー本体にステーアウターを固定する際、上記棹の左右に直交する嵌合軸心のまわりに角度を変えて取り付けられるようにしたことを特徴とする携帯型刈払い機におけるハンドルの防振機構。
【請求項３】
上記取付ステー部の中央に凹溝を設け、この凹溝を上記棹に跨がせ、凹溝で上記棹を堅く挟んで固定したことを特徴とする、請求項１又は２に記載の携帯型刈払い機におけるハンドルの防振機構。
【請求項４】
上記取付ステー部側に上記収納凹部、上記操作ハンドル側に上記突起部を設けることに代えて、上記取付ステー部側に突起部、上記操作ハンドル側に上記防振材の収納凹部を設けたことを特徴とする、請求項１〜３のいずれかに記載の携帯型刈払い機におけるハンドルの防振機構。
【発明の詳細な説明】
【技術分野】
【０００１】
本発明は、棹に対する防振材の組付けや交換の作業が容易で操作性のよい携帯型の刈払い機のハンドル装置におけるハンドルの防振機構に関する。
【背景技術】
【０００２】
一般に、刈払い機は、作業部を駆動するエンジンを棹の基部に設け、棹の先端にカッタを備え、カッタとエンジンとを伝導軸で連結したものであり、棹の中途部に設けられた操作ハンドルに片手を掛け、他方の手でその近傍に配置されたレバー類により運転操作するものであるが、エンジンの振動がそのまま直接作業者の手に伝わるので、長時間の刈払い作業を長期間続けると人体へ悪影響を与えるという問題がある。そのため、防振対策を施した機械も知られている。この防振対策は通常、棹とハンドル又は棹とレバー装置間に防振ゴムや金属バネ等からなる防振材を配置し、エンジンからの振動を該防振材の介在により減衰させて極力ハンドルやレバー装置に伝達しないようにしている（例えば、特許文献１、２参照）。
【先行技術文献】
【特許文献】
【０００３】
【特許文献１】実開昭５６−６２０２６号公報
【特許文献２】特開２００５−４６０８７号公報
【発明の概要】
【発明が解決しようとする課題】
【０００４】
ところで、上述した公知の携帯型刈払い機は、防振材を配置した上で、操作性を確保するため、操作ハンドルが棹のまわりに動かないように、棹に強固に固定しなければならない。そのためには、構造が複雑にならざるを得なかった。また、操作時には操作ハンドルの振れが大きいという問題があった。
【０００５】
本発明は上記問題点を解消し、構造が簡単であり、また操作ハンドルの振れが小さくて操作性がよい携帯型刈払い機のハンドル装置におけるハンドルの防振機構を提供することをその課題とする。
【課題を解決するための手段】
【０００６】
上記課題を解決するため、請求項１に係る発明は、棹の先端にカッタ等の作業部を設け、上記棹の基部側にエンジンとエンジンの作動を制御するレバー装置を設け、上記棹の中間部に操作ハンドルを設けた携帯型刈払い機において、上記棹には上記操作ハンドルの取付ステー部を固定し、この取付ステー部の左右両側には防振材を介して操作ハンドルの左右両側の端部を配置し、防振材の一側を上記取付ステー部の収納凹部に収納するとともに、防振材の他側には開口溝を形成し、この開口溝に上記操作ハンドルの左右両側に形成された突起部を挿入し、上記取付ステー部と操作ハンドルとにより防振材を棹の直交方向で挟み込むように取り付け、上記取付ステー部の左右両側の防振材は上記操作ハンドルによって互いに平行な面で挟み込まれ、上記操作ハンドルの突起部及び突起部が挿入される防振材の開口溝の断面を略Ｈ字形に形成したことを特徴とする。
【０００７】
請求項２に係る発明は、棹の先端にカッタ等の作業部を設け、上記棹の基部側にエンジンとエンジンの作動を制御するレバー装置を設け、上記棹の中間部に操作ハンドルを設けた携帯型刈払い機において、上記棹には上記操作ハンドルの取付ステー部を固定し、この取付ステー部の左右両側には防振材を介して操作ハンドルの左右両側の端部を配置し、防振材の一側を上記取付ステー部の収納凹部に収納するとともに、防振材の他側には開口溝を形成し、この開口溝に上記操作ハンドルの左右両側に形成された突起部を挿入し、上記取付ステー部と操作ハンドルとにより防振材を棹の直交方向で挟み込むように取り付け、上記取付ステー部の左右両側の防振材は上記操作ハンドルによって互いに平行な面で挟み込まれ、上記取付ステー部をステー本体とその両側に配されるステーアウターとに分割可能とし、上記防振材の収納凹部をステーアウター側に設けるとともに、ステー本体とステーアウターの一方に歯車状の嵌合軸、他方に上記嵌合軸に嵌合する嵌合穴を形成し、ステー本体にステーアウターを固定する際、上記棹の左右に直交する嵌合軸心のまわりに角度を変えて取り付けられるようにしたことを特徴とする。
【０００８】
請求項３に係る発明は、請求項１又は２において、上記取付ステー部の中央に凹溝を設け、この凹溝を上記棹に跨がせ、凹溝で上記棹を堅く挟んで固定したことを特徴とする。
【０００９】
【００１０】
請求項４に係る発明は、請求項１〜３のいずれかにおいて、上記取付ステー部側に上記収納凹部、上記操作ハンドル側に上記突起部を設けることに代えて、上記取付ステー部側に突起部、上記操作ハンドル側に上記防振材の収納凹部を設けたことを特徴とする。
【発明の効果】
【００１１】
請求項１に係る発明によれば、操作ハンドルは、防振材を介して取付ステー部に固定されるが、取付ステー部の収納凹部には防振材が収納され、これにより操作ハンドルと棹との間には防振材が設けられているので、棹の振動は操作ハンドルにダイレクトに伝達されることはなく、防振材を介して操作ハンドルに伝達される。防振材は棹の振動を吸収するので、棹の振動は防振材に吸収されて減衰し、操作ハンドルに伝わる振動が軽減される。
【００１２】
また、防振材の開口溝に操作ハンドルの左右両側に形成された突起部が挿入される構造となっており、上記取付ステー部と操作ハンドルとにより防振材を棹の直交方向で挟み込むように取り付けたので、防振材は棹に対して直交する方向、つまり取付ステー部の振動方向に変形可能となるから、振動を効率よく吸収することができる。
【００１３】
また、防振材が左右に設けられているので、操作ハンドルの振れも小さく、防振性、操作性に優れる。
【００１４】
さらに、全体として構造が簡単であるから、組み立て性がよい。
【００１５】
また、防振材は取付ステー部の収納凹部に収納されているので、防振材は外部にあまり露出せず、無用な動きが規制される。そして、操作ハンドルの突起部及び突起部が挿入される防振材の開口溝の断面を略Ｈ字形に形成したので、ハンドルの上下及び左右の動きを有効に規制することができる。
請求項２に係る発明によれば、ステー本体とステーアウターの一方に断面が歯車状の嵌合軸、他方に上記嵌合軸に嵌合する嵌合穴を形成し、ステー本体にステーアウターを固定する際、上記棹の左右に直交する嵌合軸心のまわりに角度を変えて取り付けられるようにしたから、草刈りの作業形態（高所、低所）に合わせ、作業者が保持しやすい最適なハンドル角度に設定できる。
【００１６】
請求項３に係る発明によれば、取付ステー部の中央に凹溝を設け、この凹溝を上記棹に跨がせ、凹溝で棹を堅く挟んで固定する構造であるから、操作ハンドルを取り付けたり、交換したりする際に、操作ハンドルを棹の一端からスライドさせる必要がなく、単に取付ステー部と止め具を棹の上下から合せて結合するだけでよいので、作業を簡単に行うことができ、組み立て性に優れる。
【００１７】
【００１８】
請求項４に係る発明によれば、取付ステー部側に突起部、上記操作ハンドル側に上記防振材の収納凹部を設けても、上述と同様の作用効果が得られる。
【図面の簡単な説明】
【００１９】
【図１】（ａ）（ｂ）はそれぞれ上記携帯型刈払い機の全体の平面図及び側面図
【図２】本発明の携帯型刈払い機におけるハンドルの斜視図
【図３】上記ハンドルの正面図
【図４】図３のＡ―Ａ線上の断面図
【図５】（ａ）はハンドルの要部の分解斜視図、（ｂ）は別角度からみた分解斜視図
【図６】取付ステー部の他の実施形態を示す斜視図
【発明を実施するための形態】
【００２０】
本発明の携帯型刈払い機は、図１（ａ）（ｂ）に示されているとおり、エンジン１と、その基部が該エンジン１に連結されてエンジン１から延びる棹２を備えており、棹２の先端にはカッター３（作業部）が回転可能に支持され、棹２のエンジン寄りの位置にはエンジンの作動を制御するスロットルワイヤを引き戻し操作可能なレバーを有するレバー装置４が取付けられている。刈払い作業をするときは、作業者が上記刈払い機を吊り下げ、棹２に設けられたハンドル５を持ってカッター３の角度と方向を制御し、レバー装置４によってエンジン１の出力を調整操作しながら行うように構成されている。
【００２１】
棹２は中空管であり、その管の内部には、図示されない駆動伝導軸が回転自在に支持されており、駆動伝導軸はその基部がクラッチを介してエンジン１に駆動連結され、棹２の先端に回転可能に支持されたカッタ３を回転駆動するようになされている。
【００２２】
レバー装置４は、棹２の中途部であるエンジン１寄りの位置に取付けられており、この取付け位置の選択により、レバー装置４を握って行なう作業は適切な刈払い機の重量バランスの下で効率的に行うことができる。
【００２３】
なお、レバー装置４は手で握り易い筒形状に形成され、内部にはいくつかのレバーとスロットルワイヤが作動操作できるように保持されている。すなわち、手で握った状態において容易に操作できる位置にはスロットルレバー７ａが設けられ、該レバー７ａの操作によりスロットルワイヤを介してエンジン１の出力制御が行なえるようになっている。また、指でスライド操作するエンジン停止スイッチ９、スロットルレバー７ａの作動をロックするセーフティレバー７ｂ等の公知のレバー等が設けられている。
【００２４】
刈払い機は概ね上述のような構造を備えており、これらの構造は既に知られたところである。
【００２５】
次に、上記携帯型刈払い機の棹には、レバー装置と作業部（カッタ３）との間に設けられた操作ハンドル５は防振機構を介して棹２に取り付けられている。そこで、この操作ハンドルの防振機構について詳しく説明する。
【００２６】
すなわち、図２〜図５（ａ）（ｂ）に示されるように、棹２には操作ハンドル５を取り付けるための取付ステー部１０が固定されている。取付ステー部１０は「く」の字形に屈曲形成されたステー本体１１と、その両側に配されるステーアウター１２とに分割されている。
【００２７】
ステー本体１１の中央内側に半円形の凹溝１３ａが形成され、これに対し、ステー本体１１の中央内側には止め具１４が固定可能となっており、止め具１４には、上記凹溝１３ａとともに棹２と嵌合する大きさの円形開口部を形成する半円形の凹溝１３ｂが形成されている。また、ステー本体１１の下端の両端面は互いに反対側に向くように形成され、端面中央には断面が歯車状の嵌合軸１６が形成されている。嵌合軸１６の中心にはボルト孔１７が貫通形成されている。ステーアウター１２はブロック状の部材で、外側には防振材１８の収納凹部２０、内側にはステー本体１１の嵌合軸１６に嵌り合うように断面が歯車状に形成された嵌合穴２１が形成されている。なお、収納凹部２０の下面は凹凸状に形成されている。
【００２８】
取付ステー部１０に取り付けられる操作ハンドル５は、ハンドル本体２２とハンドル基部材２３とに分割形成されている。ハンドル本体２２はほぼＣ字状に形成され、両端の向き合う端面には直状溝２５が形成され、反対側には内外方向にビスの挿通孔２９が直状溝２５を通るように形成されている。ハンドル基部材２３は、板状体２３ａの一側に嵌合片２６を突出させ、他側には、中央片２７ａと端片２７ｂとからＨ字形に形成された突起部２７を形成したもので、嵌合片２６はハンドル本体２２の直状溝２５に嵌合可能に形成され、その中央にはネジ孔２８が形成されている。上記突起部２７の中央片２７ａは湾曲形成されている。
【００２９】
なお、上記ハンドル基部材２３の板状体２３ａはステーアウター１２の収納凹部２０の開口面よりも大きく形成されている。
【００３０】
操作ハンドル５は上記取付ステー部１０に防振材１８を介して取り付けられている。防振材１８はエラストマーなどの弾性体から構成され、両側面が平行で上面と下面が湾曲したブロックで、上面（外側面）と下面（内側面）の中央部には凹部３０、３１が形成され、また上下の凹部３０、３１の間には、中央部が円弧状に湾曲した略Ｈ字形の開口溝３２が貫通形成されている。この開口溝３２はハンドル基部材２３の突起部２７が挿入可能な形状と大きさになっている。なお、防振材１８の厚さは、ステーアウター１２の収納凹部２０の奥行きよりも大きくなるように形成されている。
【００３１】
次に、上記部材を組み付けるときは、ハンドル本体２２の直状溝２５にハンドル基部材２３の嵌合片２６を嵌合させるとともに、ハンドル基部材２３のＨ字形突起部２７を防振材１８のＨ字形の開口溝３２に挿入させ、ステーアウター１２の収納凹部２０に防振材１８を収納し、ステー本体１１の端部の嵌合軸１６をステーアウター１２の嵌合穴２１に嵌合させる。そして、ハンドル本体２２の下端部の外側から挿通孔２９にビス３３（図３参照）を通し、ハンドル基部材２３のネジ孔２８に螺合させることにより、ハンドル本体２２とハンドル基部材２３は一体に結合する。また、ステー本体１１の下端部の外側からボルト３４（図３参照）を嵌合軸１６のボルト孔１７に挿入させ、ステーアウター１２の内側に配置したナット３５に螺合させることにより、取付ステー部１０とする。これにより、防振材１８は、取付ステー部１０と操作ハンドル５とにより棹２の直交方向で挟み込まれるように取り付けられる。このとき、防振材１８の厚さは、ステーアウター１２の収納凹部２０の奥行きよりも大きいから、ステーアウター１２とハンドル基部材２３とが互いに接触することはない。
【００３２】
上記構成の操作ハンドル５を棹２に取り付けるときは、ステー本体１１の中央の凹溝１３ａを棹２に跨がせ、その反対側から止め具１４を当て、棹２を止め具とステー本体１１で挟み、ボルト、ナットによりきつく締結して固定すればよい。
【００３３】
なお、ステー本体１１にステーアウター１２を結合させるときに、ステー本体１１の端部の歯車状の嵌合軸１６をステーアウター１２の嵌合穴２１に嵌合させる際、ステー本体１１とステーアウター１２との角度を選択することができる。
【００３４】
また、操作ハンドル５は、ステー本体１１とステーアウター１２との角度を選択することにより、棹２の左右に直交する嵌合軸１６の軸心のまわりに角度を変えて取り付けることができる。
【００３５】
上述のように、操作ハンドル５は防振材１８を介して取付ステー部１０に固定されるが、取付ステー部１０の収納凹部２０には防振材１８が収納され、これにより操作ハンドル５と棹２との間には防振材１８が設けられているので、棹２の振動は操作ハンドル５にダイレクトに伝達されることはなく、防振材１８を介して操作ハンドル５に伝達される。防振材１８は棹２の振動を吸収するので、棹２の振動は防振材１８に吸収されて減衰し、操作ハンドル５に伝わる振動は軽減される。
【００３６】
また、防振材１８の開口溝３２に操作ハンドル５の左右両側に形成された突起部２７が挿入される構造となっており、上記取付ステー部１０と操作ハンドル５とにより防振材１８を棹２の直交方向で挟み込むように取り付けたので、防振材１８は棹２に対して直交する方向、つまり取付ステー部１０の振動方向に変形可能となるから、振動を効率よく吸収することができる。
【００３７】
また、防振材１８が左右に設けられているので、操作ハンドル５の振れも小さく、防振効果と作業性に優れる。
【００３８】
また、防振材１８に凹部３０、３１を設け、ステーアウター１２の収納凹部２０の開口面積をよりも大きく形成したので、防振材１８のたわみ量を大きく設定することができ、防振材１８の変形を有効に吸収することができる。
【００３９】
さらに、全体として構造が簡単であるから、組み立て性がよい。
【００４０】
上記取付ステー部１０には、図５（ｂ）に示されるように、防振材１８の収納凹部２０を形成し、上記操作ハンドル５の突起部２７及び突起部２７が挿入される防振材１８の開口溝３２の断面を略Ｈ字形に形成したので、突起部２７が上下方向に移動しようとすると、中央片２７ａが開口溝３２の中央部の上下の溝壁に当たり、また突起部２７が左右方向に移動しようとすると、端片２７ｂが開口溝３２の左右両端の垂直の溝壁に当たるから、操作ハンドル５の上下及び左右の動きを有効に規制することができる。
【００４１】
さらに、操作ハンドル５は、取付ステー部１０と止め具１４とを棹２を挟んで結合することによって取り付けるものであるから、操作ハンドル５を取り付けたり、交換したりする際に、操作ハンドル５を棹２の一端からスライドさせる必要がなく、単に取付ステー部１０と止め具１４とを棹２の上下から合せて結合するだけでよいので、作業を簡単に行うことができ、組み立て性に優れる。
【００４２】
また、ステー本体１１とステーアウター１２の一方に歯車状の嵌合軸１６、他方に上記嵌合軸１６に嵌合する嵌合穴２１を形成し、ステー本体１１にステーアウター１２を固定する際、上記棹２の左右に直交する嵌合軸１６のまわりに角度を変えて取り付けられるようにしたから、草刈りの作業形態（高所、低所）に合わせ、作業者が保持しやすい最適なハンドル角度に設定できる。
【００４３】
なお、取付ステー部１０側に収納凹部２０、ハンドル基部材２３側に上記突起部２７を設けることに代えて、取付ステー部１０側に突起部２７、ハンドル基部材２３側に上記防振材１８の収納凹部２０を設ける構成としてもよい。
【００４４】
また、図６に示されるように、ステー本体１１の中央に断面が円弧状に形成された凹溝１３を形成するとともに、その開口端の両側から２個の止め片１５を延長形成し、この構成の操作ハンドル５を棹２に取り付けるときは、ステー本体１１の中央の凹溝１３を強制的に押し広げて棹２に跨がせ、２個の止め片１５をボルト、ナットできつく挟んで締結固定するように構成してもよい。
【符号の説明】
【００４５】
２    棹
５    操作ハンドル
１０  取付ステー部
１１  ステー本体
１２  ステーアウター
１６  嵌合軸
１８  防振材
２０  収納凹部
２１  嵌合穴
２３  ハンドル基部材
２７  突起部
３２  開口溝
【図１】
0005751772.tif 000002
【図２】
0005751772.tif 000003
【図３】
0005751772.tif 000004
【図４】
0005751772.tif 000005
【図５】
0005751772.tif 000006
【図６】
0005751772.tif 000007